(57)【要約】      （修正有）【課題】チェーンソーによる事故から足を防護することができる伐採作業用履物を提供する。【解決手段】本発明の伐採作業用履物は、アッパー１０が、複数枚の布を重ね合わせてなり、甲材１１の内面に沿って設けられる積層部材を具備して構成される。積層部材を構成する布は、それを形成する繊維が、チェーンソーのガイドバー周囲を走行するチェーンに接触した際に、該チェーンに絡み付く特性を有するものである。従って、積層部材の働きにより、チェーンソーによる事故から足を防護することが可能である。【選択図】図１
2004305204.tif 000002
【特許請求の範囲】
【請求項１】
ソール及びアッパーを有して構成される伐採作業用履物であって、前記アッパーが、複数枚の布を重ね合わせてなり、前記アッパーの表面を形成する甲材の内面に沿って設けられる積層部材を具備して構成されると共に、前記積層部材を構成する布は、それを形成する繊維が、チェーンソーのガイドバー周囲を走行するチェーンに接触した際に、該チェーンに絡み付く特性を有するものであることを特徴とする伐採作業用履物。
【請求項２】
前記アッパーは、前記甲材の内面側に設けられる裏材を有すると共に、前記積層部材は、前記甲材及び前記裏材のいずれにも固着されることなく両者の間に設けられていることを特徴とする請求項１に記載の伐採作業用履物。
【請求項３】
前記積層部材は、それを構成する布の繊維が、チェーンソーのガイドバー周囲を走行するチェーンに接触した際に、該チェーンに絡み付いて引き出されるように、前記甲材に固着されていることを特徴とする請求項１に記載の伐採作業用履物。
【請求項４】
ソール及びアッパーを有して構成される伐採作業用履物であって、前記アッパーの表面を形成する甲材を覆うスパッツを具備して構成されると共に、前記スパッツ内には、布が重なり合って形成される積層部材が設けられており、前記積層部材を構成する布は、それを形成する繊維が、チェーンソーのガイドバー周囲を走行するチェーンに接触した際に、該チェーンに絡み付く特性を有するものであることを特徴とする伐採作業用履物。
【請求項５】
前記積層部材は、いずれにも固着されることなく前記スパッツ内に設けられていることを特徴とする請求項４に記載の伐採作業用履物。
【請求項６】
前記積層部材は、それを構成する布の繊維が、チェーンソーのガイドバー周囲を走行するチェーンに接触した際に、該チェーンに絡み付いて引き出されるように、前記スパッツの表面材及び／又は内面材に固着されていることを特徴とする請求項４に記載の伐採作業用履物。
【請求項７】
前記スパッツが着脱可能であることを特徴とする請求項４から請求項６のいずれか１の請求項に記載の伐採作業用履物。
【請求項８】
前記積層部材を構成する布は、前記特性を発揮し得る編み方で編成された編み物であることを特徴とする請求項１から請求項７のいずれか１の請求項に記載の伐採作業用履物。
【請求項９】
前記積層部材を構成する布は、緯糸として合成繊維を用いたトリコット編地からなることを特徴とする請求項８に記載の伐採作業用履物。
【請求項１０】
ソール及びアッパーを有して構成される伐採作業用履物に対し、前記アッパーの表面を形成する甲材を覆うように装着されるスパッツであって、その内部に、布が重なり合って形成される積層部材が設けられていると共に、前記積層部材を構成する布は、それを形成する繊維が、チェーンソーのガイドバー周囲を走行するチェーンに接触した際に、該チェーンに絡み付く特性を有するものであることを特徴とするスパッツ。
【請求項１１】
前記積層部材が、いずれにも固着されることなく設けられていることを特徴とする請求項１０に記載のスパッツ。
【請求項１２】
前記積層部材は、それを構成する布の繊維が、チェーンソーのガイドバー周囲を走行するチェーンに接触した際に、該チェーンに絡み付いて引き出されるように、表面材及び／又は内面材に固着されていることを特徴とする請求項１０に記載のスパッツ。
【請求項１３】
前記伐採作業用履物に対して着脱可能であることを特徴とする請求項１０から請求項１２のいずれか１の請求項に記載のスパッツ。
【請求項１４】
前記積層部材を構成する布は、前記特性を発揮し得る編み方で編成された編み物であることを特徴とする請求項１０から請求項１３のいずれか１の請求項に記載のスパッツ。
【請求項１５】
前記積層部材を構成する布は、緯糸として合成繊維を用いたトリコット編地からなることを特徴とする請求項１４に記載のスパッツ。
【発明の詳細な説明】
【技術分野】
【０００１】
本発明は、伐採作業時におけるチェーンソーによる作業者の足の切創ないし切断事故の発生を防ぐため、足に装着される伐採作業用履物及びスパッツに関するものである。
【背景技術】
【０００２】
従来、伐採作業に用いられる履物としては、地下足袋や爪先に金属製の保護カバーが設けられた作業靴などが知られており、作業性を高めるため、柔軟性を有し、軽量であることが要求されている。
【０００３】
しかしながら、従来の履物では、柔軟性と軽量化を満足するため、伐採作業に用いられるものであっても、アッパーが一般の地下足袋や作業靴と同様の素材・構造からなるものであったため、チェーンソーのガイドバー周囲を走行するチェーンが誤ってアッパーに接触した場合には、該チェーンが瞬時にアッパーを切り裂いて足に傷を負わせたり、場合によっては足を切断してしまう事故が発生し易いものとなっていた。
【発明の開示】
【発明が解決しようとする課題】
【０００４】
本発明が解決しようとする課題は、柔軟かつ軽量でありながらチェーンソーによる事故から足を防護することができる伐採作業用履物及びスパッツを提供することである。
【課題を解決するための手段】
【０００５】
本発明は、上記課題を解決するため、以下の伐採作業用履物及びスパッツを提供する。
(1)   ソール及びアッパーを有して構成される伐採作業用履物であって、前記アッパーが、複数枚の布を重ね合わせてなり、前記アッパーの表面を形成する甲材の内面に沿って設けられる積層部材を具備して構成されると共に、前記積層部材を構成する布は、それを形成する繊維が、チェーンソーのガイドバー周囲を走行するチェーンに接触した際に、該チェーンに絡み付く特性を有するものであることを特徴とする伐採作業用履物。
(2)   前記アッパーは、前記甲材の内面側に設けられる裏材を有すると共に、前記積層部材は、前記甲材及び前記裏材のいずれにも固着されることなく両者の間に設けられていることを特徴とする前記(1)に記載の伐採作業用履物。
(3)   前記積層部材は、それを構成する布の繊維が、チェーンソーのガイドバー周囲を走行するチェーンに接触した際に、該チェーンに絡み付いて引き出されるように、前記甲材に固着されていることを特徴とする前記(1)に記載の伐採作業用履物。
(4)   ソール及びアッパーを有して構成される伐採作業用履物であって、前記アッパーの表面を形成する甲材を覆うスパッツを具備して構成されると共に、前記スパッツ内には、布が重なり合って形成される積層部材が設けられており、前記積層部材を構成する布は、それを形成する繊維が、チェーンソーのガイドバー周囲を走行するチェーンに接触した際に、該チェーンに絡み付く特性を有するものであることを特徴とする伐採作業用履物。
(5)   前記積層部材は、いずれにも固着されることなく前記スパッツ内に設けられていることを特徴とする前記(4)に記載の伐採作業用履物。
(6)   前記積層部材は、それを構成する布の繊維が、チェーンソーのガイドバー周囲を走行するチェーンに接触した際に、該チェーンに絡み付いて引き出されるように、前記スパッツの表面材及び／又は内面材に固着されていることを特徴とする前記(4)に記載の伐採作業用履物。
(7)   前記スパッツが着脱可能であることを特徴とする前記(4)から前記(6)のいずれか１に記載の伐採作業用履物。
(8)   前記積層部材を構成する布は、前記特性を発揮し得る編み方で編成された編み物であることを特徴とする前記(1)から前記(7)のいずれか１に記載の伐採作業用履物。
(9)   前記積層部材を構成する布は、緯糸として合成繊維を用いたトリコット編地からなることを特徴とする前記(8)に記載の伐採作業用履物。
(10)  ソール及びアッパーを有して構成される伐採作業用履物に対し、前記アッパーの表面を形成する甲材を覆うように装着されるスパッツであって、その内部に、布が重なり合って形成される積層部材が設けられていると共に、前記積層部材を構成する布は、それを形成する繊維が、チェーンソーのガイドバー周囲を走行するチェーンに接触した際に、該チェーンに絡み付く特性を有するものであることを特徴とするスパッツ。
(11)  前記積層部材が、いずれにも固着されることなく設けられていることを特徴とする前記(10)に記載のスパッツ。
(12)  前記積層部材は、それを構成する布の繊維が、チェーンソーのガイドバー周囲を走行するチェーンに接触した際に、該チェーンに絡み付いて引き出されるように、表面材及び／又は内面材に固着されていることを特徴とする前記(10)に記載のスパッツ。
(13)  前記伐採作業用履物に対して着脱可能であることを特徴とする前記(10)から前記(12)のいずれか１に記載のスパッツ。
(14)  前記積層部材を構成する布は、前記特性を発揮し得る編み方で編成された編み物であることを特徴とする前記(10)から前記(13)のいずれか１に記載のスパッツ。
(15)  前記積層部材を構成する布は、緯糸として合成繊維を用いたトリコット編地からなることを特徴とする前記(14)に記載のスパッツ。
【発明の効果】
【０００６】
前記(1)に記載の本発明によれば、チェーンソーのガイドバー周囲を走行するチェーンが誤ってアッパーに接触して甲材を切り裂いても、繊維がチェーンソーのガイドバー周囲を走行するチェーンに接触した際に、該チェーンに絡み付く特性を有する布を複数枚重ね合わせて構成される積層部材が甲材の内面に沿って設けられているため、チェーンが該積層部材に接触した際に、それを構成する布は、上層のものから切断されると同時に繊維が解れてチェーンに絡み付く。その結果、チェーンが足に接触する前に、チェーンの走行を強制的に停止させることができる。また、積層部材は布を重ね合わせたものであるため、柔軟かつ軽量で、快適な履き心地の伐採作業用履物を提供することができる。
前記(2)に記載の本発明によれば、チェーンソーのガイドバー周囲を走行するチェーンが誤ってアッパーに接触して甲材を切り裂いても、前記積層部材が、甲材及び該甲材の内面側に設けられる裏材のいずれにも固着されることなく両者の間に設けられているため、チェーンが該積層部材に接触した際に、該チェーンに積層部材を構成する布の繊維が絡み付くことで、積層部材を構成する布の一部又は全部が絡み取られて、チェーンソーのチェーンを走行させるスプロケットに巻き付き、その回転を強制的に停止させる。従って、チェーンが足に接触する前に、チェーンの走行を強制的に停止させることができる。
前記(3)に記載の本発明によれば、チェーンソーのガイドバー周囲を走行するチェーンが誤ってアッパーに接触して甲材を切り裂いても、前記積層部材は、それを構成する布の繊維が、チェーンソーのガイドバー周囲を走行するチェーンに接触した際に、該チェーンに絡み付いて引き出されるように、甲材に固着されているため、チェーンが該積層部材に接触した際に、該チェーンに積層部材を構成する布の繊維が絡み付いて引き出され、引き出された繊維はチェーンに絡み付いてその走行を不能とさせる。従って、チェーンが足に接触する前に、チェーンの走行を強制的に停止させることができる。
前記(4)に記載の本発明によれば、チェーンソーのガイドバー周囲を走行するチェーンが誤ってスパッツに接触してその表面材を切り裂いても、繊維がチェーンソーのガイドバー周囲を走行するチェーンに接触した際に、該チェーンに絡み付く特性を有する布が重なり合って形成される積層部材が前記スパッツ内に設けられているため、チェーンが該積層部材に接触した際に、それを構成する布は、上層のものから切断されると同時に繊維が解れてチェーンに絡み付く。その結果、チェーンがアッパーの表面を形成する甲材ないしは足に接触する前に、チェーンの走行を強制的に停止させることができる。また、積層部材は布が重なり合って形成されたものであるため、柔軟かつ軽量で、快適な履き心地の伐採作業用履物を提供することができる。さらに、積層部材をスパッツ内に設けたことにより、積層部材を構成する布の量を増大させることができ、またその布によって形成される層の数も増やすことができるため、より確実にチェーンの走行を強制的に停止させることができる。
前記(5)に記載の本発明によれば、チェーンソーのガイドバー周囲を走行するチェーンが誤ってスパッツに接触してその表面材を切り裂いても、前記積層部材が、いずれにも固着されることなくスパッツ内に設けられているため、チェーンが該積層部材に接触した際に、該チェーンに積層部材を構成する布の繊維が絡み付くことで、積層部材を構成する布の一部又は全部が絡み取られて、チェーンソーのチェーンを走行させるスプロケットに巻き付き、その回転を強制的に停止させる。従って、アッパーの表面を形成する甲材ないしは足に接触する前に、チェーンの走行を強制的に停止させることができる。
前記(6)に記載の本発明によれば、チェーンソーのガイドバー周囲を走行するチェーンが誤ってスパッツに接触してその表面材を切り裂いても、前記積層部材は、それを構成する布の繊維が、チェーンソーのガイドバー周囲を走行するチェーンに接触した際に、該チェーンに絡み付いて引き出されるように、前記スパッツの表面材及び／又は内面材に固着されているため、チェーンが該積層部材に接触した際に、該チェーンに積層部材を構成する布の繊維が絡み付いて引き出され、引き出された繊維はチェーンに絡み付いてその走行を不能とさせる。従って、アッパーの表面を形成する甲材ないしは足に接触する前に、チェーンの走行を強制的に停止させることができる。
前記(7)に記載の本発明によれば、スパッツが着脱可能であるため、伐採作業前又は伐採作業後には、スパッツを取り外して通常の作業用履物としての使用が可能となる。
前記(8)及び前記(14)に記載の本発明によれば、前記積層部材を構成する布は、それを形成する繊維が、チェーンソーのガイドバー周囲を走行するチェーンに接触した際に、該チェーンに絡み付く特性を発揮し得る編み方で編成された編み物であるため、チェーンが該積層部材に接触した際に、それを構成する布の繊維をチェーンに効果的に絡み付かせることができる。
前記(9)及び前記(15)に記載の本発明によれば、前記積層部材を構成する布は、緯糸として合成繊維を用いたトリコット編地からなるため、チェーンが該積層部材に接触した際に、それを構成するトリコット編地の緯糸が解れて引き出され易く、引き出された緯糸がチェーンに絡み付くことによって、チェーンを強制的に停止させることができる。
前記(10)に記載の本発明によれば、その内部に、布が重なり合って形成される積層部材が設けられていると共に、前記積層部材を構成する布は、それを形成する繊維が、チェーンソーのガイドバー周囲を走行するチェーンに接触した際に、該チェーンに絡み付く特性を有するものであるため、チェーンソーのガイドバー周囲を走行するチェーンが誤って接触しても、チェーンの走行を強制的に停止させることが可能である。また、その内部に積層部材を設けるための十分な容積を確保できるため、積層部材を構成する布の量を増大させることができ、またその布によって形成される層の数も増やすことができる。従って、より確実にチェーンの走行を強制的に停止させることが可能である。
前記(11)に記載の本発明によれば、積層部材が、いずれにも固着されることなく設けられているため、チェーンソーのガイドバー周囲を走行するチェーンが誤って接触しても、チェーンが積層部材に接触した際に、該チェーンに積層部材を構成する布の繊維が絡み付くことで、積層部材を構成する布の一部又は全部が絡み取られて、チェーンソーのチェーンを走行させるスプロケットに巻き付き、その回転を強制的に停止させることが可能である。
前記(12)に記載の本発明によれば、積層部材は、それを構成する布の繊維が、チェーンソーのガイドバー周囲を走行するチェーンに接触した際に、該チェーンに絡み付いて引き出されるように、表面材及び／又は内面材に固着されているため、チェーンが積層部材に接触した際に、該チェーンに積層部材を構成する布の繊維が絡み付いて引き出され、引き出された繊維はチェーンに絡み付いてその走行を不能とさせることが可能である。
前記(13)に記載の本発明によれば、伐採作業用履物に対して着脱可能であるため、伐採作業前又は伐採作業後には、通常の作業用履物としての使用を可能にすることができる。
【発明を実施するための最良の形態】
【０００７】
以下、本発明の実施の形態を図面に基づいて詳しく説明する。
【実施例１】
【０００８】
図１は、本発明の伐採作業用履物（以下「履物」という。）の一実施例を示す斜視図、図２は、図１のＡ−Ａ部断面図、図３は、図１のＢ−Ｂ部断面図、図４は、図３のＣ部拡大断面図である。
【０００９】
本実施例に係る履物は、これらの図に示したように、アッパー１０の開口部１０ａが足の踝よりも高い位置に存するブーツ型の靴であって、アッパー１０とソール２０の表底２１とを糸で縫い付けないで接着剤で貼り合わせるセメンテッド式製法で製造されたものである。
【００１０】
本発明の履物は、履物の底を形成するソール２０と、履物の甲部で、ソール２０を除く上部のすべてを構成するアッパー１０とを有して構成される。本実施例において、ソール２０は、図２及び図３に示したように、表底２１と中底２２との間に、中物２３及びシャンク２４が配設された構造を有する。なお、ソール２０の構造は、上記構造のものに限定されるものではなく、従来公知の構造のものを採用することができる。
【００１１】
アッパー１０は、その表面を形成する甲材１１と、甲材１１の内面に沿って設けられる積層部材１２とを有して構成される。甲材１１は、さらに皮革製の本体部１１ａと、本体部１１ａよりも柔軟な皮革からなる舌革１１ｂと、舌革１１ｂを跨ぐように配設されるベルト１１ｃとを有して構成される。
【００１２】
本体部１１ａの素材は限定されるものではないが、牛革を用いることが好ましく、その中でも特に銀付き革を用いることが好ましい。銀付き革からなる本体部１１ａによれば、チェーンソーのチェーンがその表面に接触した際に滑りを生じて、切れ難くなるからである。
【００１３】
舌革１１ｂは、履物の足への脱着を容易とするため、弛みを持たせて設けられている。そして、履物を足に装着する際には、ベルト１１ｃを用いて締め付けることにより、履物を足にフィットさせることができるようになっている。なお、ベルト１１ｃは、図示しない一対の面ファスナーを用いて締め付け又は取り外しができるようになっている。
【００１４】
積層部材１２は、図４に示したように、複数枚の布ａ〜ｌを重ね合わせて構成される。各布ａ〜ｌは、それを形成する繊維が、チェーンソーのガイドバー周囲を走行するチェーンに接触した際に、該チェーンに絡み付く特性を有するものである。かかる特性を有するものであれば、各布ａ〜ｌの材質は問わず、また織物であるか編み物であるかも問わない。
【００１５】
もっとも、各布ａ〜ｌは、上記特性を効果的に発揮させるため、上記特性を発揮し得る編み方で編成された編み物であることが好ましく、さらに編み物の中でも、特に緯糸として合成繊維を用いたトリコット編地からなるものであることが好ましい。
【００１６】
トリコット編地は、経メリヤスといわれる細い畝のある編地であって、緯糸は直線状に編成されたものある。一般に解れ難いとされているが、チェーンソーのチェーンが接触した際には、その一部が切断されると同時に緯糸が解れてチェーンに絡み付く性質を有することが後述の実験により確認された。
【００１７】
また、緯糸として合成繊維を用いることで、経糸との摩擦が少なくなり、緯糸が解れた際に、引き出され易くなるという効果がある。また合成繊維としては、伸縮性を有するものが好ましい。緯糸が伸縮性を有することにより、切断され難くなるからである。
【００１８】
緯糸の具体的な素材としては、ナイロン繊維、ポリエステル繊維などのほか、アラミド繊維等の高強度繊維を用いることができる。本実施例において、各布ａ〜ｌは、経糸としてポリエステル繊維を用い、緯糸としてナイロン繊維を用いて編成されたトリコット編地から構成されている。
【００１９】
なお、各布ａ〜ｌとしては、経糸としてナイロン繊維を用い、緯糸としてポリエステル繊維を用いて編成された編地であっても良く、また経糸と緯糸が同一種類の合成繊維からなるもの、経糸が綿等の天然繊維からなるもの、経糸と緯糸がそれぞれナイロン繊維やポリエステル繊維以外の合成繊維からなるものであっても良い。
【００２０】
また、本実施例では、積層部材１２が１２枚の布ａ〜ｌから構成されているが、その枚数も限定されるものではない。但し、布の枚数が少なすぎると、その繊維がチェーンソーのチェーンに絡み付いてもチェーンの走行を停止させることができないおそれがあるので、ある程度の枚数が必要である。また、各布ａ〜ｌの面積が小さすぎると、チェーンの走行を停止させるのに十分な繊維量が確保できなくなるので、その面積はできるだけ大きいことが望ましい。本実施例では、このような観点から、甲材１１を構成する本体部１１ａ及び舌革１１ｂの内面のほぼ全体に沿って積層部材１２が設けられている。
【００２１】
本実施例において、アッパー１０は、さらに甲材１１の内面側に設けられる裏材１３を有して構成される。裏材１３はアッパー１０の内面を形成するものである。裏材１３としては、皮革、布など、種々の素材からなるものを採用することができるが、万が一、チェーンソーのチェーンが積層部材１２をすべて切断した場合に備えて、アラミド繊維等の高強度繊維からなる布を素材としたものを用いることが好ましい。
【００２２】
本実施例において、上記した積層部材１２は、図４に示したように、甲材１１と裏材１３との間に設けられている。ここで、積層部材１２の配設方法としては、甲材１１及び裏材１３のいずれにも固着されることなく両者の間に設ける方法、又は積層部材１２を構成する布ａ〜ｌの繊維が、チェーンソーのガイドバー周囲を走行するチェーンに接触した際に、該チェーンに絡み付いて引き出されるように、甲材１１に固着する方法のどちらかを採用することが好ましい。
【００２３】
前者の方法によれば、積層部材１２を構成する布ａ〜ｌがいずれにも固着されることなく甲材１１と裏材１３との間に存在するため、布ａ〜ｌの繊維が甲材１１の切り裂かれた部位から引き出されると、それに追随して布ａ〜ｌの一部又は全部が外部に引き出される。そして、引き出された布ａ〜ｌの一部又は全部が、チェーンソーのチェーンを走行させるスプロケットに巻き付くことにより、その回転を強制的に停止させ、チェーンの走行を停止させることができる。
【００２４】
他方、後者の方法によれば、例えば、積層部材１２が糸で縫い付ける等して甲材１１に固着されているため、布ａ〜ｌの繊維が甲材１１の切り裂かれた部位から引き出されて、引き出された繊維がチェーンに絡み付いてその走行を停止させることができる。
【００２５】
積層部材１２の上記した作用は、以下の実験により確認された。すなわち、この実験は、ハスクバーナー社製のチェーンソー「３４６ＸＰ」を用いてチェーン速度を２８ｍ／ｓに設定して行われた。
【００２６】
実験対象は、ナイロン繊維及びポリエステル繊維からなるトリコット編地を１２枚重ね合わせて構成される積層部材１２を甲材１１及び裏材１３のいずれにも固着することなく両者の間に配設したもの（以下「Ａタイプ」という。）と、ナイロン繊維及びポリエステル繊維からなるトリコット編地を１２枚重ね合わせて構成される積層部材１２を甲材１１に糸で縫い付けたもの（以下「Ｂタイプ」という。）を用いた。
【００２７】
実験の結果は、次の通りである。
Ａタイプでは、チェーンソーのチェーンが甲材１１を切り裂いて積層部材１２に接触すると、積層部材１２を構成する数枚の布の繊維が解れてチェーンに絡み付くと共に、甲材１１の切り裂かれた部位から布の一部が引き出されて、チェーンソーのスプロケットに巻き付き、その回転を強制的に停止させ、チェーンの走行を停止させた。チェーンが甲材１１に接触してから走行を停止するまでに要した時間は、０．３〜０．４秒であった。
【００２８】
Ｂタイプでは、チェーンソーのチェーンが甲材１１を切り裂いて積層部材１２に接触すると、積層部材１２を構成する数枚の布の繊維が解れてチェーンに絡み付いていき、チェーンの走行を停止させた。チェーンが甲材１１に接触してから走行を停止するまでに要した時間は、０．５〜０．６秒であった。
【００２９】
なお、両タイプとも、積層部材１２を構成する１２枚の布ａ〜ｌがすべて切断されることはなかった。以上の結果から、両タイプとも、チェーンが足に接触する前に、チェーンの走行を強制的に停止させることが可能であることが確認された。
【００３０】
なお、本実施例において、アッパー１０は、図３に示したように、さらに爪先側に金属製の先芯１４を、踵側に月型芯１５をそれぞれ備えて構成される。
【実施例２】
【００３１】
図５は、本発明の履物の他の実施例を示す図であり、（ａ）は斜視図、（ｂ）は（ａ）のＤ−Ｄ部断面図である。この図に示したように、本実施例に係る履物は、地下足袋として構成されたものである。
【００３２】
このアッパー１０も、上記実施例１と同様に、複数枚の布を重ね合わせてなり、アッパー１０の表面を形成する甲材１１の内面に沿って設けられる積層部材１２を具備して構成されると共に、積層部材１２を構成する布は、それを形成する繊維が、チェーンソーのガイドバー周囲を走行するチェーンに接触した際に、該チェーンに絡み付く特性を有するものである。
【００３３】
従って、本実施例の履物によっても、チェーンソーのチェーンが誤ってアッパー１０に接触して甲材１１を切り裂いても、チェーンが積層部材１２に接触した際に、それを構成する布は、上層のものから切断されると同時に繊維が解れてチェーンに絡み付き、チェーンが足に接触する前に、チェーンの走行を強制的に停止させることが可能である。
【実施例３】
【００３４】
図６は、本発明の履物のさらに他の実施例を示す斜視図である。この図に示したように、本実施例に係る履物は、アッパー１０の表面を形成する甲材１１を覆うスパッツ３０を有して構成される。
【００３５】
スパッツ３０は、その内部に、布が重なり合って形成される積層部材３３を有して構成される。具体的には、積層部材３３は、図９に示したように、スパッツ３０の表面材３１と内面材３２との間に設けられており、表面材３１と内面材３２は、図６に示したように、互いの周縁部が糸により縫着されている。
【００３６】
積層部材３３を形成する布は、上記実施例１の積層部材１２を形成する布と同様のものが用いられている。ただ、上記実施例１では、布を複数枚重ね合わせることにより積層構造をつくっているが、本実施例では、１枚の布を折り畳むことにより、積層構造をつくっている点で異なる。本発明の積層部材は、いずれの方式で積層されたものであっても良い。
【００３７】
また、積層部材３３は、いずれにも固着されることなくスパッツ３０内に設けられていても良いし、それを構成する布の繊維が、チェーンソーのガイドバー周囲を走行するチェーンに接触した際に、該チェーンに絡み付いて引き出されるように、スパッツ３０の表面材３１及び／又は内面材３２に固着されていても良い。
【００３８】
本実施例におけるスパッツ３０は、爪先付近の周縁部が糸によりアッパー１０を構成する甲材１１に縫着されており、アッパー１０と分離できないようになっている。スパッツ３０の爪先付近の周縁部を除く他の部分は、甲材１１に縫着されず、ベルト３４及び面ファスナー３５により、甲材１１に対して着脱自在となっている。
【００３９】
スパッツ３０が上記のように装着されることにより、使用者は、ベルト３４及び面ファスナー３５を取り外し、スパッツ３０を垂れ下げて、履物を足に装着できるので、スパッツ３０が設けられていても、履物の脱着が容易である。垂れ下げられたスパッツ３０は、その後、面ファスナー３５を甲材１１に取り付けられている面ファスナー３５と係合させ、さらに、ベルト３４を締めることにより、簡単に使用状態とすることができる。
【００４０】
なお、スパッツ３０の形状・大きさは、甲材１１を広範囲で覆うことのできる形状・大きさとすることが好ましい。また、スパッツ３０は、甲材１１に対して、着脱可能に構成することもできる。図８は、着脱可能に構成されるスパッツ３０の例を示すものである。この図に示したように、かかるスパッツ３０は、ソール２０が挿通され、甲材１１に装着されたスパッツ３０が容易に離脱しないように設けられた固定バンド３６をさらに備えて構成される。
【００４１】
着脱可能なスパッツ３０によれば、伐採作業前又は伐採作業後において、かかるスパッツ３０を取り外すことにより、通常の作業用履物としての使用を可能にすることができる。また、このスパッツ３０は、一般の作業靴にも適用できるため、一般の作業靴を伐採作業用の靴として利用させることも可能となる。
【００４２】
図７は、スパッツ３０を取り除いた状態の履物を示す斜視図である。この図に示したように、履物自体は、ソール２０及びアッパー１０を有して構成されるものであるが、本実施例においては、アッパー１０に積層部材１２が配設されていない。
【００４３】
すなわち、本実施例の履物によれば、上記実施例１のように、甲材１１の内面に沿って積層部材１２が設けられていなくても、甲材１１を覆うスパッツ３０内に、積層部材３３が設けられているため、チェーンソーのガイドバー周囲を走行するチェーンが誤ってスパッツ３０に接触してその表面材３１を切り裂いても、チェーンが積層部材３３に接触した際に、積層部材３３を構成する布は、上層のものから切断されると同時に、繊維が解れてチェーンに絡み付く。その結果、チェーンが甲材１１ないしは足に接触する前に、チェーンの走行を強制的に停止させることができる。
【００４４】
また、スパッツ３０内には、その構造上、積層部材３３を配設するための十分な容積を確保できるため、上記実施例１の場合よりも、積層部材３３を構成する布の量（繊維量）を増大させることができ、また、その布によって形成される層の数も増やすことができる。従って、より確実にチェーンの走行を強制的に停止させることができる。
【実施例４】
【００４５】
図１０は、本発明の履物のさらに他の実施例を示す斜視図である。この図に示したように、本実施例に係る履物は、地下足袋として構成されたものであり、上記実施例３と同様に、アッパー１０の表面を形成する甲材１１を覆うスパッツ３０を有して構成される。
【００４６】
このスパッツ３０も、上記実施例３と同様に、その内部に、布が重なり合って形成される積層部材を具備して構成されると共に、該積層部材を構成する布は、それを形成する繊維が、チェーンソーのガイドバー周囲を走行するチェーンに接触した際に、該チェーンに絡み付く特性を有するものである。
【００４７】
従って、本実施例の履物によっても、チェーンソーのチェーンが誤ってスパッツ３０に接触してその表面材３１を切り裂いても、チェーンがスパッツ３０内の積層部材に接触した際に、それを構成する布は、上層のものから切断されると同時に繊維が解れてチェーンに絡み付き、チェーンが甲材１１ないしは足に接触する前に、チェーンの走行を強制的に停止させることが可能である。
【図面の簡単な説明】
【００４８】
【図１】本発明の伐採作業用履物の一実施例を示す斜視図である。
【図２】図１のＡ−Ａ部断面図である。
【図３】図１のＢ−Ｂ部断面図である。
【図４】図３のＣ部拡大断面図である。
【図５】本発明の伐採作業用履物の他の実施例を示す図であり、（ａ）は斜視図、（ｂ）は（ａ）のＤ−Ｄ部断面図である。
【図６】本発明の伐採作業用履物のさらに他の実施例を示す斜視図である。
【図７】スパッツを取り除いた状態の伐採作業用履物を示す斜視図である。
【図８】着脱可能に構成されるスパッツの例を示すものである。
【図９】スパッツの部分断面図である。
【図１０】本発明の伐採作業用履物のさらに他の実施例を示す斜視図である。
【符号の説明】
【００４９】
１０  アッパー
１１  甲材
１２，３３  積層部材
１３  裏材
１４  先芯
１５  月型芯
２０  ソール
２１  表底
２２  中底
２３  中物
２４  シャンク
３０  スパッツ
３１  表面材
３２  内面材
３４  ベルト
３５  面ファスナー
３６  固定バンド
【図１】
2004305204.tif 000003
【図２】
2004305204.tif 000004
【図３】
2004305204.tif 000005
【図４】
2004305204.tif 000006
【図５】
2004305204.tif 000007
【図６】
2004305204.tif 000008
【図７】
2004305204.tif 000009
【図８】
2004305204.tif 000010
【図９】
2004305204.tif 000011
【図１０】
2004305204.tif 000012